(57)【要約】【課題】プリンタで印刷する際の粘着剤のはみ出しを防止すると共にプリンタで印刷する際の走行性が良好なレーザープリンタ用ラベルシートを提供する。【解決手段】枚葉状のレーザープリンタ用ラベルシート１０は、一方の面に粘着剤層１３が形成された粘着シート１１と、一方の面を剥離層１８とし、その剥離層１８が粘着剤層１３に重ねられた剥離シート１６とを備える。粘着シート１１と剥離シート１６とは共に同じ大きさの方形状をなしているので印刷の際の走行性に優れ、対向する二側縁において粘着剤層１３の外縁が粘着シート１１及び剥離シート１６の外縁の内側に位置しているから、印刷の際にプリンタ内の熱とロールの圧縮力を受けて押し出された粘着剤が粘着剤層１３の外縁と粘着シートの外縁との間に粘着することでラベルシート１０から粘着剤がはみ出すのを防止する。【選択図】図４
2007178874.tif 000002
【特許請求の範囲】
【請求項１】
シート基材の一方の面に粘着剤層が形成されてなる粘着シートと、一方の面を剥離層としその剥離層が前記粘着剤層に重ねられた剥離シートとを備える枚葉状のレーザープリンタ用ラベルシートにおいて、
前記粘着シートと前記剥離シートとは共に同じ大きさの方形状をなし、かつ、少なくとも一組の対向する二側縁においては前記粘着剤層の外縁が前記粘着シート及び前記剥離シートの外縁の内側に位置していることを特徴とするレーザープリンタ用ラベルシート。
【請求項２】
前記粘着剤層の外縁の対向する二側縁において、前記剥離層が剥離シートの外縁の内側に位置することでその外側に粘着剤が粘着可能な領域を形成していることを特徴とする請求項１に記載のレーザープリンタ用ラベルシート。
【請求項３】
一方の面の全面に粘着剤層が形成された粘着シートと、一方の面を剥離層としその剥離層が前記粘着剤層に重ねられた剥離シートとを備える枚葉状のレーザープリンタ用ラベルシートにおいて、
前記粘着シートと前記剥離シートとは共に同じ大きさの方形状をなし、かつ、少なくとも一組の対向する二側縁においては前記剥離層の外縁が前記剥離シート及び前記粘着シートの外縁の内側に位置していることを特徴とするレーザープリンタ用ラベルシート。
【請求項４】
請求項１ないし請求項３のいずれかのレーザープリンタ用ラベルシートを製造する方法であって、一方の面に剥離層が形成された剥離性ロール紙に対し、前記剥離層上の所定位置に粘着剤を所定のパターンで塗工する塗工工程と、前記粘着剤を塗工した面にロール状のシート基材を貼り合わせる貼り合わせ工程と、前記シート基材のみにラベル切り離し用のスリットを形成する抜き工程と、その後、前記剥離性ロール紙及び前記シート基材とを共に方形状に裁断して枚葉状の前記ラベルシートとなす裁断工程を一連に行うこととし、前記裁断工程では前記粘着剤の前記塗工パターンを取り囲む大きなサイズで前記剥離性ロール紙及び前記シート基材を裁断することを特徴とするレーザープリンタ用ラベルシートの製造方法。
【請求項５】
前記塗工工程の実行に先立ち、前記剥離性ロール紙に対し基準マークを印刷する印刷工程を実行し、前記塗工工程以降の工程において、前記基準マークを基準に位置決めを行うことを特徴とする請求項４記載のレーザープリンタ用ラベルシートの製造方法。
【発明の詳細な説明】
【技術分野】
【０００１】
本発明は、レーザープリンタ用ラベルシートおよびその製造方法に関する。
【背景技術】
【０００２】
レーザープリンタ等によって印刷される枚葉状のラベルシートは、シート基材の一方の面に粘着剤層が設けられた粘着シートと、その粘着剤層に重ねられ、剥離層が表面に設けられた剥離シートとを貼り合わせた構造である。
【０００３】
このようなレーザープリンタ用ラベルシート（以下、単に「ラベルシート」ともいう）は一般的には次のようにして製造されている。
まず、いわゆるタック紙メーカーが紙メーカーから大きなサイズのロール状に巻かれた原紙９を購入し、図１７の上段に示すように、ロール紙の一方の面にシリコン樹脂２０を塗工して剥離層を形成し（シリコン塗工工程１）、次いでそのシリコン樹脂２０の上に粘着剤２２を塗工して粘着剤層を形成し（粘着剤塗工工程２）、更にやはりロール状に巻かれた他の原紙２３を引き出しつつこれを粘着剤の上に重ね合わせて（重ね工程３）再び巻き取ってロール状のタック用紙４とする。ここまでの工程は、ロール紙を高速で走行させながら、ロールコーター２１等によって各塗工工程等が行われるから、ロール状のタック用紙４にあっては、剥離層及び粘着剤層は原紙の全面に形成されている。
【０００４】
次に、ラベルシートメーカーはタック紙メーカーからロール状のタック用紙４を購入し、自社のラインに搬入して図１７の下段に示すように、タック用紙４にラベルシートの商標や説明書き等を印刷し（印刷工程５）、ラベルとして剥がし取るためのスリットを形成し（抜き工程６）、最後に、ロール紙をＡ４サイズ等の必要な方形の単票サイズに裁断する（裁断工程７）ことでラベルシート８という商品となる。
【０００５】
従来のラベルシート８は上述のような方法によって製造されているから、シート基材、剥離シート及び粘着剤層は全て同じサイズ（例えばＡ４サイズ）であり、粘着剤層はシート基材の全域を覆うように付着している。
【０００６】
ところが、このようなラベルシート８をレーザープリンタ（以下、単に「プリンタ」ともいう）等に挿入すると、プリンタ内の熱や送りロール等の圧縮力によって粘着剤がラベルシート８の外縁からはみ出すことがある。はみ出した粘着剤はプリンタ内のガイドや送りロールなどに付着するため、そのシートの走行を妨げたり、その後に印刷されるラベルシートの詰まりや印刷位置のずれなどを引き起こすおそれがある。
【０００７】
この課題を解決する手段としては特許文献１に記載のものなどが提案されている。
【特許文献１】特開平１０−２３２６１５号公報
【発明の開示】
【発明が解決しようとする課題】
【０００８】
特許文献１に記載のラベルシートは、その外縁が粘着シートの外縁よりも大きい剥離シートを設けることで、プリンタ内の熱やロールの圧縮力を受けてはみ出した粘着剤を一回り大きく形成された剥離シートの端縁付近に付着させることで、プリンタ内のガイドなどに付着するのを防いでいる。
【０００９】
しかし、このラベルシートには粘着シートと剥離シートの大きさが違うことに起因して段差が生じており、プリンタ内で紙詰まりを起こすことがありプリンタで印刷する際の走行性に問題があった。
【００１０】
本発明は上記のような事情に基づいて完成されたものであって、印刷時の粘着剤のはみ出しを防止してレーザープリンタ内での走行性が良好なレーザープリンタ用ラベルシートを提供することを目的とする。
【課題を解決するための手段】
【００１１】
上記の目的を達成するための手段として、請求項１の発明は、シート基材の一方の面に粘着剤層が形成されてなる粘着シートと、一方の面を剥離層としその剥離層が前記粘着剤層に重ねられた剥離シートとを備える枚葉状のレーザープリンタ用ラベルシートにおいて、前記粘着シートと前記剥離シートとは共に同じ大きさの方形状をなし、かつ、少なくとも一組の対向する二側縁においては前記粘着剤層の外縁が前記粘着シート及び前記剥離シートの外縁の内側に位置している構成としたところに特徴を有する。
【００１２】
請求項２の発明は、請求項１に記載のものにおいて、前記粘着剤層の外縁の対向する二側縁において、前記剥離層が剥離シートの外縁の内側に位置することでその外側に粘着剤が粘着可能な領域を形成しているところに特徴を有する。
【００１３】
請求項３の発明は、一方の面の全面に粘着剤層が形成された粘着シートと、一方の面を剥離層としその剥離層が前記粘着剤層に重ねられた剥離シートとを備える枚葉状のレーザープリンタ用ラベルシートにおいて、前記粘着シートと前記剥離シートとは共に同じ大きさの方形状をなし、かつ、少なくとも一組の対向する二側縁においては前記剥離層の外縁が前記剥離シート及び前記粘着シートの外縁の内側に位置しているところに特徴を有する。
【００１４】
ところで、本発明においては、少なくとも一組の対向する二側縁においては粘着剤層の外縁が粘着シート及び剥離シートの外縁の内側に位置するように塗工してある必要があるから、粘着剤層と基材シートや剥離シートとが同じ大きさになってしまう従来のラベルシートの製造方法によって製造することはできない。もちろん、タック紙メーカーにおいて粘着剤を塗工する際に、ラベルシートよりも小さいサイズとなるようなパターンで粘着剤を塗工することも考えられるが、タック紙メーカーでは、大型のロールコーター等の高速設備でタック紙を量産しているから、そのような特殊製品は、コスト的にも設備的にも製造が極めて困難である。
【００１５】
また、仮にコスト面、設備面の制約を克服して上述のようなロール状の特殊タック紙を製造したとしても、これをラベル紙メーカーが購入してここに印刷、抜き、裁断等の工程を施して枚葉状のラベルシートを製造するには、実際には次のような事情によって大きな困難がある。すなわち、タック紙メーカーから購入した特殊タック紙に印刷、抜き、裁断を施すには、それぞれの工程で、予め塗工されている粘着剤パターンに対して正確に位置決めしなくてはならない。ところが、もともと粘着剤パターンは基材シートと剥離シートとの間に挟まれているから、その位置を正確に目視することはできず、印刷、抜き、裁断等の各工程における位置合わせが非常に困難である。しかも、ロール紙を連続加工する場合には、ロール紙に加工ライン特有のテンションが作用して伸びが発生し、僅かに伸びた状態で各加工が施される。ところが、上述のように粘着剤を塗工する塗工装置と、印刷、抜き、裁断等の各工程を行う装置とが別ラインとなっていると、ライン毎の伸び量が相違するため、位置合わせが一層困難になる。また、ロール紙の伸び量は、加工時の温度、湿度等の環境条件によって異なるという事情もあるため、粘着剤の塗工工程と、印刷、抜き、裁断等の各工程とを、異なる工場の別ラインで異なる日に行うことになる従来の製造方法では、位置合わせが事実上不可能である。
【００１６】
そこで、請求項４の発明は、請求項１ないし請求項３のいずれかのレーザープリンタ用ラベルシートを製造するにあたり、一方の面に剥離層が形成された剥離性ロール紙に対し、前記剥離層上の所定位置に粘着剤を所定のパターンで塗工する塗工工程と、前記粘着剤を塗工した面にロール状のシート基材を貼り合わせる貼り合わせ工程と、前記シート基材のみにラベル切り離し用のスリットを形成する抜き工程と、その後、前記剥離性ロール紙及び前記シート基材とを共に方形状に裁断して枚葉状の前記ラベルシートとなす裁断工程を一連に行うこととし、前記裁断工程では前記粘着剤の前記塗工パターンを取り囲む大きなサイズで前記剥離性ロール紙及び前記シート基材を裁断することとした。
【００１７】
請求項５の発明は請求項４に記載ものにおいて、前記塗工工程の実行に先立ち、前記剥離性ロール紙に対し基準マークを印刷する印刷工程を実行し、前記塗工工程以降の工程において、前記基準マークを基準に位置決めを行うことを特徴とする。
【発明の効果】
【００１８】
＜請求項１の発明＞
請求項１に記載の発明によれば、少なくとも一組の対向する二側縁においては粘着剤層の外縁が粘着シート及び剥離シートの外縁の内側に位置しているから、粘着シートの対向する二側縁には粘着剤層が形成されていない部分が設けられている。したがって、レーザープリンタで印刷する際にプリンタ内の熱やロールの圧縮力を受けたとしても、粘着剤がラベルシートの外側にはみ出すことがなく、プリンタ内でのラベルシートの走行の妨げになることはない。また、粘着シートと剥離シートとは同じ大きさの方形状をなしていることから、ラベルシートの端縁部に段差が生ずることがなく、送りロールによる紙送りにも支障がない。
【００１９】
＜請求項２の発明＞
請求項２に記載の発明によれば、粘着シート上に粘着剤層が形成されていない部分が設けられていることに加え、粘着剤層の外縁の対向する二側縁において、剥離層が剥離シートの外縁の内側に位置することで外側に粘着剤が粘着可能な領域が形成されている。したがって、プリンタ内の熱やロールからの圧縮力を受けて粘着剤が横に広がるような動きをしても、その先端部分が剥離シート上の粘着可能な領域に接触して粘着するから、そこで粘着剤の広がりが阻止され、ラベルシートの側縁部分におけるめくれ上がりを防止できると共に、より確実に粘着剤のはみ出しを防止することができる。
【００２０】
＜請求項３の発明＞
請求項３に記載の発明によれば、少なくとも一組の対向する二側縁においては剥離層の外縁が剥離シート及び粘着シートの外縁の内側に位置しているから、剥離シートの対向する二側縁には剥離層が形成されておらず、粘着剤が粘着可能な領域が形成されている。このため、ラベルシートがプリンタ内の熱やロールの圧縮力を受けて粘着剤が横に広がるような動きをしても、その先端部分が剥離シート上の粘着可能な領域に接触して粘着するから、そこで粘着剤の広がりが阻止され、ラベルシートの側縁部分におけるめくれ上がりを防止できると共に、粘着剤のはみ出しを防止することができる。もちろん、粘着シートと剥離シートとは同じ大きさの方形状をなしていることから、ラベルシートの端縁部に段差が生ずることがなく、送りロールによる紙送りにも支障がない。
【００２１】
＜請求項４および請求項５の発明＞
請求項４に記載の発明によれば、一方の面に剥離層が形成された剥離性ロール紙に対し、剥離層上の所定位置に粘着剤を所定のパターンで塗工する塗工工程と、抜き工程と、裁断工程とを一連に行うから、各工程を１ライン内で同時的に行うことになる。このため、粘着剤を全面に塗工するのではなく、特定のパターンで塗工することとしても、その塗工パターンに対して抜きや裁断の各工程における位置決めを正確に行うことができるようになる。特に、請求項５に記載の発明によれば、塗工工程の実行に先立ち、剥離性ロール紙に対し基準マークを印刷する印刷工程を実行して位置決めを行うから、その後の一連の工程における位置決めがより正確となる。
【発明を実施するための最良の形態】
【００２２】
＜実施形態１＞
本発明の実施形態１を図１ないし図５および図１６によって説明する。
完成形態のレーザープリンタ用ラベルシート１０は、図３に示すように、粘着シート１１と剥離シート１６との積層構造である。粘着シート１１と剥離シート１６とは、いずれも方形状（本実施形態においては矩形状）の紙等を主たる構成とし、互いの外縁が合致して全体としてＡ４サイズである。
【００２３】
剥離シート１６は剥離シート基材１７とその一方の面に積層された剥離層１８とからなる。剥離層１８は剥離シート１６を作成する際に通常使用されるシリコン等の剥離剤の塗布などによって形成され、剥離シート基材１７の表面全体に形成されている。
【００２４】
粘着シート１１は、文字などを印刷可能なシート基材１２と、その一方の面（本実施形態においては裏面）に積層される粘着剤層１３とからなる。また、粘着シート１１には、シート基材１２から粘着剤層１３に達する深さの切り込みによって略矩形状に閉じた形態をなすラベル分断スリット１４が形成されている。このラベル分断スリット１４に囲まれて、複数枚のラベル１０Ａが周囲から切り離し可能に形成されている。ラベル１０Ａは、図１に示すように、ラベルシート１０の短辺方向に左右一対が並んで配置されるとともにラベルシート１０の長辺方向に複数枚が整列状に並んで配置され、長辺方向に隣接するもの同士および短辺方向に隣接するもの同士は、一のラベル分断スリット１４により間をあけることなく区画されている。
【００２５】
粘着剤層１３は、図２に示すように、二組の対向する二側縁においてその外縁が粘着シート１１の外縁の内側に位置しており、全体として略矩形状をなしている。そして、対向する二側縁における外縁と粘着シート１１の外縁との間の枠形状をなす領域は粘着剤層１３の形成されていない非粘着部１５とされる。なお、粘着剤層１３を形成している粘着剤としては、通常粘着シート１１を作成する際に用いられるものが用いられる。この粘着剤層１３は図３に示すように剥離層１８の上に重ね合わされ、両者の境界面で互いに剥離可能とされる。
【００２６】
次に本実施形態のラベルシート１０の製造方法について説明する。
まず、紙メーカーから剥離性ロール紙４１を購入する。紙メーカーでは、図１６の上段に示すように、ロール状とされた剥離シート基材１７の表面に目止め剤３８を目止め剤塗工機３９で塗工し（目止め剤処理工程３１）、シリコーン樹脂などを主成分とする剥離剤４０を剥離シート基材１７の表面全体にグラビア印刷機４３で塗工して（シリコン塗工工程３２）、表面に剥離層１８が形成された剥離性ロール紙４１を製造する。
【００２７】
この剥離性ロール紙４１を、ラインにのせると以下に記載する工程が一連に行われて、本発明の枚葉状のラベルシート１０が製造される（図１７の下段参照）。
【００２８】
剥離性ロール紙４１をラインにのせると、まず、剥離性ロール紙に基準マーク（トンボ）が印刷される（印刷工程３３）。ここで印刷された基準マークは次の工程以降における位置決めとされる。この印刷工程３３においては、必要に応じて商品名、商標、ロゴマーク、品番なども印刷される。
【００２９】
次に、当該剥離性ロール紙４１の剥離層１８が形成された表面の所定位置（Ａ４サイズに対して縦と横各１〜５ｍｍずつ狭めた領域）に、粘着剤４２をフレキソ塗工する（粘着剤塗工工程３４）。次いで粘着剤４２を塗工した面に重なるようにロール状のシート基材１２を貼り合わせ（貼り合わせ工程３５）、当該シート基材１２のみにスリットを入れて、ラベル分断スリット１４を形成する（抜き工程）。その後、剥離性ロール紙４１とシート基材１２が同じ大きさのＡ４の方形状をなし、かつ粘着剤の塗工パターンを取り囲む大きなサイズとなるように裁断して（裁断工程）本実施形態の枚葉状のラベルシート１０が作製される。
【００３０】
次に、本実施形態の作用について説明する。
本実施形態のラベルシート１０をレーザープリンタにセットして走行させる。図３に示すように粘着シート１１と剥離シート１６とは端縁部が一致しているので円滑にプリンタ内で走行し、プリンタ内の熱やロール２０の上下方向から（プリンタの走行方向に直交する方向から）圧縮力を受ける（図５を参照）。このプリンタ内の熱や圧縮力により粘着剤層１３の粘着剤がラベルシート１０の外縁の方向に押し出されることがあるが、このような場合に、押し出された粘着剤は、粘着シート１１の外縁と粘着剤層１３の外縁との間に形成された非粘着部１５に粘着する。
【００３１】
本実施形態によれば、プリンタで印刷する際にプリンタ内の熱やロール２０の圧縮力を受けて粘着剤層１３から粘着剤が押し出されても、粘着剤がラベルシート１０の外側へはみ出すことはなく、プリンタ内でのラベルシート１０の走行の妨げとなることはない。
【００３２】
また、粘着シート１１と剥離シート１６とは同じ大きさの方形状をなしているから、ラベルシート１０の端縁部に段差が生じることがなく送りロールによる紙送りにも支障がないので、プリンタで印刷する際の走行性も良好である。
【００３３】
さらに本実施形態のラベルシート１０は、塗工工程以降の工程を一連に行い、各工程を１ライン内で同時的に行うことで製造されるから、上記した塗工パターンに対して抜きや裁断の各工程における位置決めを正確に行うことができる。加えて、剥離性ロール紙に対し基準マークを印刷する印刷工程を経た後に、塗工工程以降の一連の工程を実行するから、より確実に位置ずれを防ぐことができる。
【００３４】
＜実施形態２＞
次に、本発明の実施形態２を図６ないし図９によって説明する。
本実施形態においてはラベル１０Ａの配置と、剥離層１８の全外縁が剥離シート１１の外縁の内側に位置するように形成されている点で実施形態１とは相違する。その他の点は実施形態１と同様であり、重複する記載は省略する。
【００３５】
粘着シート１１においてラベル１０Ａは、図６に示すように、ラベルシート１０の短辺方向に左右一対が並んで配置されるとともにラベルシート１０の長辺方向に複数枚が整列状に並んで配置され、それぞれのラベル１０Ａはラベル分断スリット１４によって区画されている。
【００３６】
剥離層１８は、図７に示すように、粘着剤層１３の外縁の対向する二側縁において、剥離シート１６の外縁の内側でかつ、粘着剤層１３の外縁の内側に位置するように形成され、剥離層１８の外縁と剥離シート１６の外縁の間の領域は、剥離層１８が形成されていない非離型性を有する非離型部１９とされ、粘着剤が粘着可能な領域とされる（請求項２に記載の発明）。
【００３７】
次に本実施形態のラベルシート１０の製造方法について説明する。
実施形態１と異なり剥離剤４０を剥離シート基材１７の表面全体ではなく、所定位置（Ａ４サイズに対して縦と横各２〜１０ｍｍずつ狭めた領域）にグラビア印刷機４３で塗工したものを使用する。それ以外は実施形態１と同様にして本実施形態のラベルシート１０が製造される。
【００３８】
次に、本実施形態の作用について説明する。
本実施形態のラベルシート１０をプリンタにセットして走行させると、プリンタ内の熱やロール２０の上下方向からの圧縮力を受けることがある（図９参照）。このプリンタ内の熱や圧縮力により粘着剤層１３から押し出された粘着剤は非粘着部１５に粘着することに加え、横に広がった粘着剤の先端部分が、剥離シート１６上の非離型部１９に接触して粘着することで、粘着剤の広がりが阻止される。
【００３９】
本実施形態によれば、図８に示すように、粘着シート１１上に非粘着部１５が設けられていることに加え、剥離シート１６上には非離型部１９が設けられているから、より確実に粘着剤のはみ出しを防止することができると共に、ラベルシート１０の側縁部分のめくれ上がりを防止できる。
【００４０】
＜実施形態３＞
図１０ないし図１２は本発明の実施形態３を示す。
本実施形態においては図１０に示すようにシート基材１２の裏面全体に粘着剤層１３が形成され、剥離層１８は、その外縁が対向する二側縁において剥離シート１６及び粘着シート１１の外縁の内側に位置するように形成されている（請求項３に記載の発明）ところが実施形態１とは異なる。
【００４１】
本実施形態においては、剥離シート１６として、剥離剤４０を剥離シート基材１７の表面全体ではなく、所定位置（Ａ４サイズに対して縦と横各１〜１０ｍｍずつ狭めた領域）にグラビア印刷機４３で塗工したものを使用する。剥離層１８において当該対向する二側縁と剥離シート１６の外縁との間の領域は非離型部１９とされる。
【００４２】
次に、本実施形態の作用を説明する。本実施形態のラベルシート１０を、プリンタにセットする。図１０に示すように粘着シート１１と剥離シート１６とは外周の端部が一致しているので円滑にプリンタ内で走行し、プリンタ内の熱やロール２０の上下方向から圧縮力を受ける（図１２参照）。このプリンタ内の熱と圧縮力により粘着剤層１３から粘着剤が押し出されることがあるが、押し出された粘着剤の先端部分が剥離シート１６上の非離型部１９に接触して粘着することで、粘着剤がラベルシート１０の外側へ広がるのが阻止される。
【００４３】
本実施形態によれば、シート基材１２の裏面全体に粘着剤層１３が形成されているものの、剥離シート１６上には非離型部１９が設けられているから、ラベルシート１０の外側への粘着剤のはみ出しを防止すると共にラベルシート１０のめくれ上がりを防止することができる。
【００４４】
＜他の実施形態＞
【００４５】
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４６】
（１）本発明には、上記実施形態に示した粘着剤層以外に、例えば図１３ないし図１５に示す形態の粘着剤層１３が形成されているものも含まれる。図１３に示す粘着剤層１３は、複数のラベル１０Ａが配置されたラベルシート１０上の個々のラベル１０Ａの外縁に沿って枠状をなすように形成されている。そして図１４に示す粘着剤層１３は、複数のラベル１０Ａが配置されたラベルシート１０上の個々のラベル１０Ａの外縁に沿って枠状に形成されると共に、この枠状に形成された部分の内側はドット状に形成されている。図１５に示す粘着剤層１３は、個々のラベル１０Ａのラベル分断スリット１４が中央に配されるように枠状に形成されている。図示されてはいないが、これら以外に、粘着剤層の外縁がラベル分断スリットと同位置となるように設けられたもの、例えばラベルの形状に合わせて全面に粘着剤層が形成されているものなども本発明に含まれる。
【００４７】
（２）上記実施形態においては、粘着剤層は粘着シートの対向する短辺側の二側縁と、対向する長辺側の二側縁とにおいて、その外縁が粘着シートの外縁の内側になるように形成されているが、粘着シートの対向する短辺側の二側縁においてのみ、その外縁が粘着シートの外縁の内側になるように形成されているものや、対向する長辺側の二側縁においてのみ、その外縁が粘着シートの外縁の内側になるように形成されているものであってもよい。
【００４８】
（３）粘着剤層の外縁の対向する二側縁に対応して、剥離層が剥離シートの外縁の内側に位置するように形成され、剥離層の外縁の外側にはみだした粘着剤が粘着可能な非離型部が形成されていれば、例えば、剥離層の外縁と粘着剤層の外縁とが一致するものや、剥離層の外縁が粘着剤層の外縁よりも外側になるように設けられているものも本発明に含まれる。
【００４９】
（４）上記実施形態のラベルシートは、Ａ４形状をなすものであったが、それ以外の形状、例えば連続用紙の形態のものなどであってもよい。また、本発明においてラベルシートは、上記実施形態のものに限定されない。例えば短辺方向に一対ではなく三以上のものが並んでいるもの、ラベルシート一枚につき長辺方向に２枚のラベルが配置されているもの、円形のラベルが配されているものなどについても適用できる。
【００５０】
（５）上記実施形態のラベルシートの製造方法においては、基準マークが印刷される印刷工程を塗工工程の前に先立って実行しているが、印刷工程を実行せずに塗工工程以降の工程を実行しても良い。また、商品名などの印刷については、必ずしも、基準マークが印刷される印刷工程にあわせて行う必要はなく、塗工工程以降の一連の工程の途中で行っても良いし、基準マークが印刷される印刷工程を実行しない場合でも行って良い。
【図面の簡単な説明】
【００５１】
【図１】実施形態１のラベルシートの正面図
【図２】実施形態１の粘着シートを裏面から見た図
【図３】実施形態１のラベルシートの断面図
【図４】プリンタに走行させる前のラベルシートの断面図
【図５】プリンタのロールで挟まれている状態にあるラベルシートの断面図
【図６】実施形態２の粘着シートを裏面から見た図
【図７】実施形態２のラベルシートの断面図
【図８】プリンタに走行させる前のラベルシートの断面図
【図９】プリンタのロールで挟まれている状態にあるラベルシートの断面図
【図１０】実施形態３のラベルシートの断面図
【図１１】プリンタに走行させる前のラベルシートの断面図
【図１２】プリンタのロールで挟まれている状態にあるラベルシートの断面図
【図１３】他の実施形態の粘着剤層が形成された粘着シートを裏面から見た図
【図１４】図１３とは相違する形態の粘着剤層が形成された粘着シートを裏面から見た図
【図１５】図１３および図１４とは相違する形態の粘着剤層が形成された粘着シートを裏面から見た図
【図１６】本発明のラベルシートの製造工程を示す図
【図１７】従来のラベルシートの製造工程を示す図
【符号の説明】
【００５２】
１０…ラベルシート
１１…粘着シート
１２…シート基材
１３…粘着剤層
１５…非粘着部
１６…剥離シート
１７…剥離シート基材
１８…剥離層
１９…非離型部
【図１】
2007178874.tif 000003
【図２】
2007178874.tif 000004
【図３】
2007178874.tif 000005
【図４】
2007178874.tif 000006
【図５】
2007178874.tif 000007
【図６】
2007178874.tif 000008
【図７】
2007178874.tif 000009
【図８】
2007178874.tif 000010
【図９】
2007178874.tif 000011
【図１０】
2007178874.tif 000012
【図１１】
2007178874.tif 000013
【図１２】
2007178874.tif 000014
【図１３】
2007178874.tif 000015
【図１４】
2007178874.tif 000016
【図１５】
2007178874.tif 000017
【図１６】
2007178874.tif 000018
【図１７】
2007178874.tif 000019